(57)【要約】【課題】放射性物質を含む汚染土壌や焼却灰から汚染物質を抽出し、濃縮固化して個体廃棄物を得るとともに水の浄化を行う水処理システム、水処理装置及び水処理方法を提供する。【解決手段】放射性物質を含む汚染土壌及び／又は焼却灰と処理水を混合して汚染物質を溶出させ抽出する第一の工程と、該汚染物質を抽出した放射性物質を含む水と固形物を分離する第二の工程と、該汚染物質を含む水に少なくともナノバブルを含む水を混合する第三の工程と、該汚染物質及びナノバブルを含む水を電極間に高電圧を印加しプラズマを生じさせて汚染物質を含む水を処理する第四の工程と、該プラズマ処理により不溶化された放射性物質が高濃度で含まれる固形物を分離回収する第五の工程と、を少なくとも含む構成とする。【選択図】図１
2016223837.tif 000002
【特許請求の範囲】
【請求項１】
放射性物質を含む汚染土壌及び／又は焼却灰と処理水を混合して汚染物質を溶出させ抽出する第一の工程と、
該汚染物質を抽出した放射性物質を含む水と固形物を分離する第二の工程と、
該汚染物質を含む水に少なくともナノバブルを含む水を混合する第三の工程と、
該汚染物質及びナノバブルを含む水を電極間に高電圧を印加しプラズマを生じさせて汚染物質を含む水を処理する第四の工程と、
該プラズマ処理により不溶化された放射性物質が高濃度で含まれる固形物を分離回収する第五の工程と、
を少なくとも含むことを特徴とする、
水処理システム。
【請求項２】
該汚染物質を含む水に少なくともナノバブルを含む水を混合する第三の工程と、
該汚染物質及びナノバブルを含む水を電極間に高電圧を印加しプラズマを生じさせて汚染物質を含む水を処理する第四の工程との間に、
混合槽を備えたことを特徴とする、
請求項１記載の水処理システム。
【請求項３】
該汚染物質及びナノバブルを含む水を電極間に高電圧を印加しプラズマを生じさせて汚染物質を含む水を処理する第四の工程と、
該プラズマ処理により不溶化された放射性物質が高濃度で含まれる固形物を分離回収する第五の工程との間に、
処理水の温度を低下させる冷却機構を備えたことを特徴とする、
請求項１又は２記載の水処理システム。
【請求項４】
該放射性物質を含む汚染土壌及び／又は焼却灰と処理水を混合して汚染物質を溶出させ抽出する第一の工程は、汚染土壌及び／又は焼却灰と処理水を混合し、これに超音波を印加しながら攪拌混合することにより効率的に汚染物質を溶出させ抽出することを特徴とする、
請求項１記載の水処理システム。
【請求項５】
該プラズマ処理により不溶化された放射性物質が高濃度で含まれる固形物を分離回収する第五の工程は、沈殿による固液分離及び／又は遠心分離による固液分離の工程を含むことを特徴とする、
請求項１記載の水処理システム
【請求項６】
放射性物質を含む汚染土壌及び／又は焼却灰と処理水を混合して汚染物質を溶出させ抽出する装置と、
該汚染物質を抽出した放射性物質を含む水と固形物を分離する装置と、
該汚染物質を含む水に少なくともナノバブルを含む水を混合する装置と、
該汚染物質及びナノバブルを含む水を電極間に高電圧を印加しプラズマを生じさせて汚染物質を含む水を処理する装置と、
該プラズマ処理により不溶化された放射性物質が高濃度で含まれる固形物を分離回収する装置と、
を少なくとも含んで構成されることを特徴とする、
水処理装置。
【請求項７】
該汚染物質を含む水に少なくともナノバブルを含む水を混合する装置と、
該汚染物質及びナノバブルを含む水を電極間に高電圧を印加しプラズマを生じさせて汚染物質を含む水を処理する装置との間に、
混合槽を備えたことを特徴とする、
請求項６記載の水処理装置。
【請求項８】
該汚染物質及びナノバブルを含む水を電極間に高電圧を印加しプラズマを生じさせて汚染物質を含む水を処理する装置と、
該プラズマ処理により不溶化された放射性物質が高濃度で含まれる固形物を分離回収する装置との間に、
処理水の温度を低下させる冷却装置を備えたことを特徴とする、
請求項６又は７記載の水処理装置。
【請求項９】
該放射性物質を含む汚染土壌及び／又は焼却灰と処理水を混合して汚染物質を溶出させ抽出する装置は、汚染土壌及び／又は焼却灰と処理水を混合し、これに超音波を印加しながら攪拌混合することにより効率的に汚染物質を溶出させ抽出する構成であることを特徴とする、
請求項６記載の水処理装置。
【請求項１０】
該プラズマ処理により不溶化された放射性物質が高濃度で含まれる固形物を分離回収する装置は、沈殿による固液分離装置及び／又は遠心分離による固液分離装置により構成されることを特徴とする、
請求項６記載の水処理装置。
【請求項１１】
放射性物質を含む汚染土壌及び／又は焼却灰と処理水を混合して汚染物質を溶出させ抽出する第一の工程と、
該汚染物質を抽出した放射性物質を含む水と固形物を分離する第二の工程と、
該汚染物質を含む水に少なくともナノバブルを含む水を混合する第三の工程と、
該汚染物質及びナノバブルを含む水を電極間に高電圧を印加しプラズマを生じさせて汚染物質を含む水を処理する第四の工程と、
該プラズマ処理により不溶化された放射性物質が高濃度で含まれる固形物を分離回収する第五の工程と、
を少なくとも含んでなることを特徴とする、
水処理方法。
【請求項１２】
該汚染物質を含む水に少なくともナノバブルを含む水を混合する第三の工程と、
該汚染物質及びナノバブルを含む水を電極間に高電圧を印加しプラズマを生じさせて汚染物質を含む水を処理する第四の工程との間に、
混合槽を備えてなることを特徴とする、
請求項１１記載の水処理方法。
【請求項１３】
該汚染物質及びナノバブルを含む水を電極間に高電圧を印加しプラズマを生じさせて汚染物質を含む水を処理する第四の工程と、
該プラズマ処理により不溶化された放射性物質が高濃度で含まれる固形物を分離回収する第五の工程との間に、
処理水の温度を低下させる冷却機構を備えてなることを特徴とする、
請求項１１又は１２記載の水処理方法。
【請求項１４】
該放射性物質を含む汚染土壌及び／又は焼却灰と処理水を混合して汚染物質を溶出させ抽出する第一の工程は、汚染土壌及び／又は焼却灰と処理水を混合し、これに超音波を印加しながら攪拌混合することにより効率的に汚染物質を溶出させ抽出してなることを特徴とする、
請求項１１記載の水処理方法。
【請求項１５】
該プラズマ処理により不溶化された放射性物質が高濃度で含まれる固形物を分離回収する第五の工程は、沈殿による固液分離及び／又は遠心分離による固液分離の工程を含んでなることを特徴とする、
請求項１１記載の水処理方法。
【発明の詳細な説明】
【技術分野】
【０００１】
本発明は水処理システム、水処理装置及び水処理方法に関し、具体的には、放射性物質を含む汚染土壌や焼却灰から汚染物質を抽出し、濃縮固化して個体廃棄物を得るとともに水の浄化を行う水処理システム、水処理装置及び水処理方法に関するものである。
【背景技術】
【０００２】
金属や有機物等の不純物を含む水の処理技術は、上下水道水の処理、工場排水の処理等において広く利用されている。
【０００３】
かかる水処理技術としては、オゾン処理や電気凝集法、促進酸化法等が公知であり、また、促進酸化法によっても分解・除去できない有機化合物を分解・除去することを目的として、処理対象とする水にプラズマ放電を行う水処理技術も提案されている。
【０００４】
従来の水処理方法のうち、オゾン処理は上下水等の処理に広く使用されている処理方法であり、処理対象水にオゾンを添加することで、オゾンの強い酸化作用を利用して殺菌、脱臭、脱色等を行うものである。 しかし、オゾンと反応を起こさない物質も多数存在するため、これらの物質を不純物として含む汚染物質の処理には適さない。
【０００５】
電気凝集法は、処理槽の中に配置された電極間に汚染水を流すことで、汚染水中の不純物を凝集、沈殿させて除去する方法である。この方法では、電極のうち少なくとも陽極を鉄又はアルミによって製造し、電極間に電圧を印加した際にイオン化して汚染水中に電極を溶出させることで、溶出した電極を凝集剤として利用する。アルミ又は鉄の水酸化物は、汚染水に溶解した不純物と反応して不溶解性の化合物を生成し、このようにして生成された化合物が凝集して沈殿することで、取り除きやすい状態となる。この電気凝集法によって、水に含まれる重金属イオン、石油製品、ポリマー、脂肪類、オイル類などの乳化・分散した不純物を取り除くことができる。
【０００６】
促進酸化法は、オゾン、紫外線、過酸化水素という複数の酸化剤を２種以上併用することにより、これらの酸化剤と水との反応によって強力な酸化作用を持つＯＨラジカルを生成することで、汚染物質である有機物を酸化分解反応によって除去する。この方法では、ダイオキシン類や環境ホルモン、農薬等の毒性の高い有機物の分解除去にも非常に高い効果を発揮し、しかも、汚染水の殺菌、脱色、脱臭、ＣＯＤ低減などの効果を同時に享受できる。
【０００７】
なお、塩素、オゾン、ＯＨラジカルなどの強酸化剤を用いても分解することができず、また、前述した促進酸化法により、オゾン、過酸化水素、紫外線照射を組み合わせてＯＨラジカルを生成しても全く分解しない、難分解性有機物である有機フッ素化合物を分解することを目的として、難分解性有機物を含む液体中にガスをバブリングする気液２相流装置において、バブリングした気体内に放電プラズマを発生する高電圧電源を備えた気液２相流プラズマ処理装置も提案されており（特許文献１参照）、この装置によれば、この放電プラズマによって、有機フッ素化合物のような難分解性有機物についても直接分解可能であることが開示されている。
【先行技術文献】
【特許文献】
【０００８】
【特許文献１】特開２０１１ー５６４５１号公報
【特許文献２】特開２０１４ー２００７５５号公報
【発明の概要】
【発明が解決しようとする課題】
【０００９】
従来技術中、促進酸化法は、オゾンや過酸化水素、紫外線照射を複合的に適用することで生成したＯＨラジカルを利用して不純物の分解や除去を行うものであることから、これらの酸化剤を単独で利用する場合に比較して効率的にＯＨラジカルを生成することが可能で、その結果、高い処理効率を得ることができるものとなっている。
【００１０】
しかし、この方法では、高価なオゾン発生器を必要とするだけでなく、汚染水に過酸化水素を添加したり、ＵＶランプを設けて紫外線の照射を行う必要があり、装置構成が大掛かりとなるため、多大な初期投資が必要となる。
【００１１】
しかも、汚染水の処理能力はオゾンや過酸化水素の生成効率や、ＵＶランプの発光効率に大きく依存するために、高い処理能力を維持しようとすれば消費電力が増大するため、ランニングコストも多大なものとなる。
【００１２】
これに対し、前掲の特許文献１として紹介した水処理方法では、酸素を泡の状態で導入して気液二相流体とした汚染水を電極間を通過させることで、気泡中にプラズマを生成し、このプラズマによって気泡中に発生した活性物質によって直接的に不純物の分解を行うことで、従来の水処理方法では分解できなかった難分解性の有機物についても分解できるものとなっている。
【００１３】
しかし、特許文献１に記載の水処理装置では、陰極と陽極間に誘電体を介在させて放電を行っていることから、この絶縁体の存在により電荷が電極に流れ込むことがないために放電はアークとはならず、温度上昇を伴わず、強力な閃光や轟音が発生しない「誘電体バリア放電」乃至は「無声放電」と呼ばれる放電を行うものとしているため、依然として処理能力には改善の余地がある。
【００１４】
即ち、プラズマ放電時の閃光は紫外線を含み、紫外線は汚染水中の微生物や藻類を死滅させる作用があるだけでなく、酸素に乖離反応を起こさせてオゾンの生成と、ＯＨラジカルの生成にも寄与するものである。また、閃光と共に生じる轟音による衝撃波や発熱は、微生物や藻類の死滅や有機物の分解等にも寄与するものであることから、閃光、音、温度上昇が生じる放電形式とすることができれば処理能力の一層の向上が期待できる。
【００１５】
そこで本発明は、上記従来技術の欠点を解消するためになされたものであり、プラズマ放電を利用して行う水処理を、より経済的且つ効率的に行うことができ、しかも、有機物の分解による除去のみならず、重金属や放射性物質等の有機物以外の不純物についても同時に、高い除去率で除去することができる水処理方法、及び前記水処理方法の実施に使用する水処理装置を提供することを目的とする。
【００１６】
特に本発明は、先の大震災により被災した原子力発電所から放出された放射性物質により汚染された汚染水、除染土壌、汚染焼却灰などの処理、減量に資することのできる水処理システム、水処理装置及び水処理方法を提供することを目的とする。
【課題を解決するための手段】
【００１７】
本発明は、放射性物質を含む汚染土壌及び／又は焼却灰と処理水を混合して汚染物質を溶出させ抽出する第一の工程と、該汚染物質を抽出した放射性物質を含む水と固形物を分離する第二の工程と、該汚染物質を含む水に少なくともナノバブルを含む水を混合する第三の工程と、該汚染物質及びナノバブルを含む水を電極間に高電圧を印加しプラズマを生じさせて汚染物質を含む水を処理する第四の工程と、該プラズマ処理により不溶化された放射性物質が高濃度で含まれる固形物を分離回収する第五の工程とを少なくとも含むことを最も主要な特徴とする、水処理システムである。
【００１８】
また本発明は、該汚染物質を含む水に少なくともナノバブルを含む水を混合する第三の工程と、該汚染物質及びナノバブルを含む水を電極間に高電圧を印加しプラズマを生じさせて汚染物質を含む水を処理する第四の工程との間に、混合槽を備えたことを特徴とする、水処理システムである。
【００１９】
また本発明は、該汚染物質及びナノバブルを含む水を電極間に高電圧を印加しプラズマを生じさせて汚染物質を含む水を処理する第四の工程と、該プラズマ処理により不溶化された放射性物質が高濃度で含まれる固形物を分離回収する第五の工程との間に、処理水の温度を低下させる冷却機構を備えたことを特徴とする、水処理システムである。
【００２０】
また本発明は、該放射性物質を含む汚染土壌及び／又は焼却灰と処理水を混合して汚染物質を溶出させ抽出する第一の工程は、汚染土壌及び／又は焼却灰と処理水を混合し、これに超音波を印加しながら攪拌混合することにより効率的に汚染物質を溶出させ抽出することを特徴とする、水処理システムである。
【００２１】
また本発明は、該プラズマ処理により不溶化された放射性物質が高濃度で含まれる固形物を分離回収する第五の工程は、沈殿による固液分離及び／又は遠心分離による固液分離の工程を含むことを特徴とする、水処理システム、水処理装置及び水処理方法である。
【００２２】
また本発明は、放射性物質を含む汚染土壌及び／又は焼却灰と処理水を混合して汚染物質を溶出させ抽出する装置と、該汚染物質を抽出した放射性物質を含む水と固形物を分離する装置と、該汚染物質を含む水に少なくともナノバブルを含む水を混合する装置と、該汚染物質及びナノバブルを含む水を電極間に高電圧を印加しプラズマを生じさせて汚染物質を含む水を処理する装置と、該プラズマ処理により不溶化された放射性物質が高濃度で含まれる固形物を分離回収する装置と、を少なくとも含んで構成されることを主な特徴とする、水処理装置である。
【００２３】
また本発明は、該汚染物質を含む水に少なくともナノバブルを含む水を混合する装置と、該汚染物質及びナノバブルを含む水を電極間に高電圧を印加しプラズマを生じさせて汚染物質を含む水を処理する装置との間に、混合槽を備えたことを特徴とする、水処理装置である。
【００２４】
また本発明は、該汚染物質及びナノバブルを含む水を電極間に高電圧を印加しプラズマを生じさせて汚染物質を含む水を処理する装置と、
該プラズマ処理により不溶化された放射性物質が高濃度で含まれる固形物を分離回収する装置との間に、
処理水の温度を低下させる冷却装置を備えたことを特徴とする、水処理装置である。
【００２５】
また本発明は、該放射性物質を含む汚染土壌及び／又は焼却灰と処理水を混合して汚染物質を溶出させ抽出する装置は、汚染土壌及び／又は焼却灰と処理水を混合し、これに超音波を印加しながら攪拌混合することにより効率的に汚染物質を溶出させ抽出する構成であることを特徴とする、水処理装置である。
【００２６】
また本発明は、該プラズマ処理により不溶化された放射性物質が高濃度で含まれる固形物を分離回収する装置は、沈殿による固液分離装置及び／又は遠心分離による固液分離装置により構成されることを特徴とする、水処理装置である。
【００２７】
また本発明は、放射性物質を含む汚染土壌及び／又は焼却灰と処理水を混合して汚染物質を溶出させ抽出する第一の工程と、該汚染物質を抽出した放射性物質を含む水と固形物を分離する第二の工程と、該汚染物質を含む水に少なくともナノバブルを含む水を混合する第三の工程と、該汚染物質及びナノバブルを含む水を電極間に高電圧を印加しプラズマを生じさせて汚染物質を含む水を処理する第四の工程と、該プラズマ処理により不溶化された放射性物質が高濃度で含まれる固形物を分離回収する第五の工程と、を少なくとも含んでなることを主な特徴とする、水処理方法である。
【００２８】
また本発明は、該汚染物質を含む水に少なくともナノバブルを含む水を混合する第三の工程と、該汚染物質及びナノバブルを含む水を電極間に高電圧を印加しプラズマを生じさせて汚染物質を含む水を処理する第四の工程との間に、混合槽を備えてなることを特徴とする、水処理方法である。
【００２９】
また本発明は、該汚染物質及びナノバブルを含む水を電極間に高電圧を印加しプラズマを生じさせて汚染物質を含む水を処理する第四の工程と、該プラズマ処理により不溶化された放射性物質が高濃度で含まれる固形物を分離回収する第五の工程との間に、処理水の温度を低下させる冷却機構を備えてなることを特徴とする、水処理方法である。
【００３０】
また本発明は、該放射性物質を含む汚染土壌及び／又は焼却灰と処理水を混合して汚染物質を溶出させ抽出する第一の工程は、汚染土壌及び／又は焼却灰と処理水を混合し、これに超音波を印加しながら攪拌混合することにより効率的に汚染物質を溶出させ抽出してなることを特徴とする、水処理方法である。
【００３１】
また本発明は、該プラズマ処理により不溶化された放射性物質が高濃度で含まれる固形物を分離回収する第五の工程は、沈殿による固液分離及び／又は遠心分離による固液分離の工程を含んでなることを特徴とする、水処理方法である。
【発明の効果】
【００３２】
本発明は、上記従来技術の欠点を解消するためになされたものであり、プラズマ放電を利用して行う水処理を、より経済的且つ効率的に行うことができ、しかも、有機物の分解による除去のみならず、重金属や放射性物質等の有機物以外の不純物についても同時に、高い除去率で除去することができる水処理方法、及び前記水処理方法の実施に使用する水処理装置を提供することが出来る。
【００３３】
特に本発明は、先の大震災により被災した原子力発電所から放出された放射性物質により汚染された汚染水、除染土壌、汚染焼却灰などの処理、減量に資することのできる水処理システム、水処理装置及び水処理方法を提供することが出来、経済的な効果は非常に大きいものであるとともに、震災復興を推進して社会にも貢献するものである。
【図面の簡単な説明】
【００３４】
【図１】図１は本発明にかかる水処理システムを示す概念図である。
【発明を実施するための形態】
【００３５】
本発明は、プラズマ放電を利用して行う水処理を、より経済的且つ効率的に行うことができ、しかも、有機物の分解による除去のみならず、重金属や放射性物質等の有機物以外の不純物についても同時に、高い除去率で除去することができる水処理システム、水処理方法、及び前記水処理方法の実施に使用する水処理装置を提供することが出来る。
【００３６】
特に本発明は、先の大震災により被災した原子力発電所から放出された放射性物質により汚染された汚染水、除染土壌、汚染焼却灰などの処理、減量に資することのできる水処理システム、水処理装置及び水処理方法を提供することが出来る。
【００３７】
本発明は、放射性物質を含む汚染土壌及び／又は焼却灰と処理水を混合して汚染物質を溶出させ抽出する第一の工程と、該汚染物質を抽出した放射性物質を含む水と固形物を分離する第二の工程と、該汚染物質を含む水に少なくともナノバブルを含む水を混合する第三の工程と、該汚染物質及びナノバブルを含む水を電極間に高電圧を印加しプラズマを生じさせて汚染物質を含む水を処理する第四の工程と、該プラズマ処理により不溶化された放射性物質が高濃度で含まれる固形物を分離回収する第五の工程とを少なくとも含むことを最も主要な特徴とする、水処理システムである。
【００３８】
また本発明は、該汚染物質を含む水に少なくともナノバブルを含む水を混合する第三の工程と、該汚染物質及びナノバブルを含む水を電極間に高電圧を印加しプラズマを生じさせて汚染物質を含む水を処理する第四の工程との間に、混合槽を備えたことを特徴とする、水処理システムである。
【００３９】
また本発明は、該汚染物質及びナノバブルを含む水を電極間に高電圧を印加しプラズマを生じさせて汚染物質を含む水を処理する第四の工程と、該プラズマ処理により不溶化された放射性物質が高濃度で含まれる固形物を分離回収する第五の工程との間に、処理水の温度を低下させる冷却機構を備えたことを特徴とする、水処理システムである。
【００４０】
また本発明は、該放射性物質を含む汚染土壌及び／又は焼却灰と処理水を混合して汚染物質を溶出させ抽出する第一の工程は、汚染土壌及び／又は焼却灰と処理水を混合し、これに超音波を印加しながら攪拌混合することにより効率的に汚染物質を溶出させ抽出することを特徴とする、水処理システムである。
【００４１】
また本発明は、該プラズマ処理により不溶化された放射性物質が高濃度で含まれる固形物を分離回収する第五の工程は、沈殿による固液分離及び／又は遠心分離による固液分離の工程を含むことを特徴とする、水処理システム、水処理装置及び水処理方法である。
【００４２】
また本発明は、放射性物質を含む汚染土壌及び／又は焼却灰と処理水を混合して汚染物質を溶出させ抽出する装置と、該汚染物質を抽出した放射性物質を含む水と固形物を分離する装置と、該汚染物質を含む水に少なくともナノバブルを含む水を混合する装置と、該汚染物質及びナノバブルを含む水を電極間に高電圧を印加しプラズマを生じさせて汚染物質を含む水を処理する装置と、該プラズマ処理により不溶化された放射性物質が高濃度で含まれる固形物を分離回収する装置と、を少なくとも含んで構成されることを主な特徴とする、水処理装置である。
【００４３】
また本発明は、該汚染物質を含む水に少なくともナノバブルを含む水を混合する装置と、該汚染物質及びナノバブルを含む水を電極間に高電圧を印加しプラズマを生じさせて汚染物質を含む水を処理する装置との間に、混合槽を備えたことを特徴とする、水処理装置である。
【００４４】
また本発明は、該汚染物質及びナノバブルを含む水を電極間に高電圧を印加しプラズマを生じさせて汚染物質を含む水を処理する装置と、
該プラズマ処理により不溶化された放射性物質が高濃度で含まれる固形物を分離回収する装置との間に、
処理水の温度を低下させる冷却装置を備えたことを特徴とする、水処理装置である。
【００４５】
また本発明は、該放射性物質を含む汚染土壌及び／又は焼却灰と処理水を混合して汚染物質を溶出させ抽出する装置は、汚染土壌及び／又は焼却灰と処理水を混合し、これに超音波を印加しながら攪拌混合することにより効率的に汚染物質を溶出させ抽出する構成であることを特徴とする、水処理装置である。
【００４６】
また本発明は、該プラズマ処理により不溶化された放射性物質が高濃度で含まれる固形物を分離回収する装置は、沈殿による固液分離装置及び／又は遠心分離による固液分離装置により構成されることを特徴とする、水処理装置である。
【００４７】
また本発明は、放射性物質を含む汚染土壌及び／又は焼却灰と処理水を混合して汚染物質を溶出させ抽出する第一の工程と、該汚染物質を抽出した放射性物質を含む水と固形物を分離する第二の工程と、該汚染物質を含む水に少なくともナノバブルを含む水を混合する第三の工程と、該汚染物質及びナノバブルを含む水を電極間に高電圧を印加しプラズマを生じさせて汚染物質を含む水を処理する第四の工程と、該プラズマ処理により不溶化された放射性物質が高濃度で含まれる固形物を分離回収する第五の工程と、を少なくとも含んでなることを主な特徴とする、水処理方法である。
【００４８】
また本発明は、該汚染物質を含む水に少なくともナノバブルを含む水を混合する第三の工程と、該汚染物質及びナノバブルを含む水を電極間に高電圧を印加しプラズマを生じさせて汚染物質を含む水を処理する第四の工程との間に、混合槽を備えてなることを特徴とする、水処理方法である。
【００４９】
また本発明は、該汚染物質及びナノバブルを含む水を電極間に高電圧を印加しプラズマを生じさせて汚染物質を含む水を処理する第四の工程と、該プラズマ処理により不溶化された放射性物質が高濃度で含まれる固形物を分離回収する第五の工程との間に、処理水の温度を低下させる冷却機構を備えてなることを特徴とする、水処理方法である。
【００５０】
また本発明は、該放射性物質を含む汚染土壌及び／又は焼却灰と処理水を混合して汚染物質を溶出させ抽出する第一の工程は、汚染土壌及び／又は焼却灰と処理水を混合し、これに超音波を印加しながら攪拌混合することにより効率的に汚染物質を溶出させ抽出してなることを特徴とする、水処理方法である。
【００５１】
また本発明は、該プラズマ処理により不溶化された放射性物質が高濃度で含まれる固形物を分離回収する第五の工程は、沈殿による固液分離及び／又は遠心分離による固液分離の工程を含んでなることを特徴とする、水処理方法である。
【実施例】
【００５２】
図１は、本発明にかかる水処理システムを示す概念図である。なお、本発明にかかる水処理装置はかかるシステムを構成する装置群であり、本発明にかかる水処理方法はかかる水処理システムを用いる処理方法である。
【００５３】
ここで、本実施例においては放射性物質を含む汚染土壌や焼却灰から汚染物質を抽出し、濃縮固化して個体廃棄物を得るとともに水の浄化を行う水処理システムを構成した。図中、１は放射性物質を含む汚染土壌及び／又は焼却灰と処理水を混合して汚染物質を溶出させ抽出する第一の槽である。この第一の槽には、高濃度の放射性物質を含む汚染土、焼却灰などの固形廃棄物と水が投入される。ここで、用いられる水は主に本システムにおいて最終的に放射性物質を抽出した後のリサイクル水が用いられるが、適宜通常の水を添加する。
【００５４】
１において、放射性物質を含む汚染土壌及び／又は焼却灰と処理水は超音波を印加しながらオーバーフローするように攪拌され、放射性物質を効率良く水に溶出させて残土や残灰に残留する放射性物質を極小化する。特に除去すべき放射性物質であるセシウムはアルカリ金属であるから、溶解度が高く、高効率で水に移行させることができる。
【００５５】
２は、汚染物質を抽出した放射性物質を含む水と固形物を分離する第二の槽である。第一の槽にて放射性物質を含む汚染土壌及び／又は焼却灰から処理水に放射性物質は溶出、移行しているから、固形分を分離除去するとその固形分には放射性物質は環境基準以下しか残留しておらず、そのまま埋め立て等の方法で廃棄することができる。
【００５６】
３は、放射性物質を含む水にナノバブルを注入する第三の槽である。ナノバブルは、平均直径がナノメートルレベルの微小な泡であり、液中に分散して安定に存在することができる。このため、その後にプラズマ処理する槽に移送してもバブルが含有保持され、安定したプラズマを比較的低電圧で生起することに資する。ここで、ナノバブルとして注入する気体は、プラズマの生成と安定のためには多種の気体を好適に用いることができるが、放射性物質の不溶化を促進するためには酸素、二酸化炭素、オゾン等がさらに好適に用いられる。
【００５７】
４は、放射性物質及びナノバブルを含む水を電極間に高電圧を印加しプラズマを生じさせて放射性物質を含む水を処理する第四の槽である。かかる槽にて液を処理することにより、放射性物質が不溶化され、これを分離除去することが可能となった。ここで、３及び４の間にマイクロバブルを注入混合する混合槽を設けることも有効であり、放電効率をさらに高めることができる。
【００５８】
５は、プラズマ処理により不溶化された放射性物質が高濃度で含まれる固形物を分離回収する第五の槽である。本実施例では、第五の槽は二段階となっており、先に沈殿物を沈殿させて除去する分離槽と、遠心分離によって固形物を除去する遠心分離槽を備えたが、第五の槽の構成はこれに限定されるものではなく、沈殿分離槽或いは遠心分離槽だけでも良いし、その他の方法による固液分離方法も適宜用いられる。また、遠心分離槽の後にさらにメンブレン等の濾過フィルターを備えることも有効である。ここで、４と５の間に液を冷却する機構或いは冷却槽を設けることも有効であり、冷却により固液分離をさらに促進することができる。
【００５９】
分離された高濃度の放射性物質個体はキャニスター等に収納して保管するが、当初の汚染土壌や焼却灰からは非常に体積が縮小しており、保管効率が高くなって、除染、復興の推進に与って効果がある。
【００６０】
また、放射性物質を固液分離除去した後の水は、環境に放出可能な程度に放射性物質が除かれているが、安全のため本システムの第一の槽にフィードバックして用いることが望ましい。
【産業上の利用可能性】
【００６１】
本発明は、先の大震災により被災した原子力発電所から放出された放射性物質により汚染された汚染水、除染土壌、汚染焼却灰などの処理、減量に資することのできる水処理システム、水処理装置及び水処理方法を提供することが出来、経済的な効果は非常に大きいものであるとともに、震災復興を推進して社会にも貢献するものである。
【符号の説明】
【００６２】
１    放射性物質を含む汚染土壌及び／又は焼却灰と処理水を混合して汚染物質を溶出させ抽出する第一の槽
２    汚染物質を抽出した放射性物質を含む水と固形物を分離する第二の槽
３    放射性物質を含む水にナノバブルを注入する第三の槽
４    放射性物質及びナノバブルを含む水を電極間に高電圧を印加しプラズマを生じさせて放射性物質を含む水を処理する第四の槽
５    プラズマ処理により不溶化された放射性物質が高濃度で含まれる固形物を分離回収する第五の槽
【図１】
2016223837.tif 000003